(57)【要約】      （修正有）【課題】顔面に馴染み易くて装着時の不快感を著しく軽減することができ、しかも酸素等の気体の供給が遮断される虞のないカニューラを提供する。【解決手段】カニューラ本体１が、顔面鼻下に配設される本体管部２と、該本体管部の上面部に立設されて鼻孔に挿入される左右一対の鼻孔管３と、酸素ボンベ等の気体供給手段と連絡されるチューブＴを接続する本体管部の左右両端部４と、を有してなるカニューラにおいて、本体管部の中央部分が顔面に沿う方向に曲折しており、曲折した本体管部の中央部分の肉厚が、顔面に接触する側の面である顔面接触面部に対して、少なくとも該顔面接触面部と対向する側の面である外側面部、上面部と対向する面である下面部及び／又は上面部が大であることを特徴とするカニューラである。【選択図】図１
0003118848.tif 000002
【実用新案登録請求の範囲】
【請求項１】
カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも該顔面接触面部と対向する側の面である外側面部、前記上面部と対向する面である下面部及び／又は前記上面部が大であることを特徴とするカニューラ。
【請求項２】
カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも該顔面接触面部と対向する側の面である外側面部が大であることを特徴とするカニューラ。
【請求項３】
カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも前記上面部と対向する面である下面部が大であることを特徴とするカニューラ。
【請求項４】
カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも前記上面部が大であることを特徴とするカニューラ。
【請求項５】
前記本体管部の曲折した中央部分の外側面部、上面部、下面部のいずれかの部分の表面に、該表面から突起する角状部が形成されてこの部分の肉厚を大とした構成であることを特徴とする請求項１〜４のいずれかに記載のカニューラ。
【請求項６】
前記本体管部の中央部分の管内径が他の部分の管内径より大であることを特徴とする請求項１〜５のいずれかに記載のカニューラ。
【考案の詳細な説明】
【技術分野】
【０００１】
本考案はカニューラに関し、詳しくは呼吸疾患等の呼吸補助に用いられるカニューラに関する。
【背景技術】
【０００２】
呼吸疾患等の呼吸補助に用いられるカニューラは、患者である装着者に安全且つ確実に酸素等の気体を供給するものであり、その使用に際しては、チューブやカニューラ本体の本体管部などの通気経路が確実に確保された状態で、しかも装着時の顔面接触部分での不快感の少ないものが望まれている。
【０００３】
例えば、特許文献１には、装着時に顔面接触部分が顔面に馴染み易いように形成した技術が記載されている。
【０００４】
【特許文献１】登録実用新案第３１０７７８７号公報
【考案の開示】
【考案が解決しようとする課題】
【０００５】
特許文献１の技術は、カニューラ本体の中間部の肉厚を中央部及び端部の肉厚より薄く形成して、顔面に接触している中間部を顔面に沿って曲がり易くすることで、顔面に馴染み易くした構成となっている。
【０００６】
しかし、特許文献１の技術では、中間部でしか曲がらないため、中間部以外の他の部分である中央部や端部の部分では装着者の顔面に馴染まない場合がある。特に、顔面は三次元曲面を有する立体であり、人それぞれ異なる顔面形状及び大きさを有しているため、中間部での曲がりだけでは極めて不充分である。
【０００７】
そこで、中間部のみならず他の部分を含めたカニューラ本体の全体において顔面に馴染み易くするために、カニューラ本体全体の肉厚を中間部と同じように薄く形成することが考えられる。
【０００８】
しかし、全体の肉厚を薄く形成してカニューラ本体全体を柔らかな構成にしてしまうと、顔面への馴染みは良好となるが、就寝時や移動時等にチューブが引っ張られた場合等に応力負担のかかる部分が変形して潰れ易く、潰れた部分の通気経路が押し潰されて酸素等の気体の供給が遮断されてしまう虞がある。かかる通気経路の遮断は、呼吸疾患等の呼吸補助に用いられるカニューラにおいては致命的欠陥となる。
【０００９】
そこで本考案の課題は、顔面に馴染み易くて装着時の不快感を著しく軽減することができ、しかも酸素等の気体の供給が遮断される虞のないカニューラを提供することにある。
【課題を解決するための手段】
【００１０】
上記課題を解決する本考案は下記構成を有する。
【００１１】
１．カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも該顔面接触面部と対向する側の面である外側面部、前記上面部と対向する面である下面部及び／又は前記上面部が大であることを特徴とするカニューラ。
【００１２】
２．カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも該顔面接触面部と対向する側の面である外側面部が大であることを特徴とするカニューラ。
【００１３】
３．カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも前記上面部と対向する面である下面部が大であることを特徴とするカニューラ。
【００１４】
４．カニューラ本体が、顔面鼻下に配設される本体管部と、該本体管部の上面部に立設されて鼻孔に挿入される左右一対の鼻孔管と、酸素ボンベ等の気体供給手段と連絡されるチューブを接続する前記本体管部の左右両端部と、を有してなるカニューラにおいて、
前記本体管部の中央部分が顔面に沿う方向に曲折しており、曲折した本体管部の中央部分の肉厚が、顔面に接触する側の面である顔面接触面部に対して、少なくとも前記上面部が大であることを特徴とするカニューラ。
【００１５】
５．前記本体管部の曲折した中央部分の外側面部、上面部、下面部のいずれかの部分の表面に、該表面から突起する角状部が形成されてこの部分の肉厚を大とした構成であることを特徴とする上記１〜４のいずれかに記載のカニューラ。
【００１６】
６．前記本体管部の中央部分の管内径が他の部分の管内径より大であることを特徴とする上記１〜５のいずれかに記載のカニューラ。
【考案の効果】
【００１７】
請求項１に示す考案によれば、カニューラ本体の本体管部の中央部分が顔面に沿う方向に曲折しており、曲折した本体管部の中央部分の肉厚が、顔面に接触する側の面である顔面接触面部に対して、少なくとも該顔面接触面部と対向する側の面である外側面部、前記上面部と対向する面である下面部及び／又は前記上面部が大であることにより、カニューラ本体の全体を顔面に馴染み易い柔らかな構成に形成しても、応力負担のかかり易い本体管部の中央部分での変形潰れを防ぐことができるので、通気経路の押し潰れを防ぐことができる。従って、装着時の不快感を著しく軽減した状態で、酸素等の気体の供給が遮断される虞のないカニューラとなる。
【００１８】
請求項２に示す考案によれば、カニューラ本体の本体管部の中央部分が顔面に沿う方向に曲折しており、曲折した本体管部の中央部分の肉厚が、顔面に接触する側の面である顔面接触面部に対して、少なくとも該顔面接触面部と対向する側の面である外側面部が大であることにより、カニューラ本体の全体を顔面に馴染み易い柔らかな構成に形成しても、応力負担のかかり易い本体管部の中央部分での変形潰れを防ぐことができるので、通気経路の押し潰れを防ぐことができる。従って、装着時の不快感を著しく軽減した状態で、酸素等の気体の供給が遮断される虞のないカニューラとなる。
【００１９】
請求項３に示す考案によれば、カニューラ本体の本体管部の中央部分が顔面に沿う方向に曲折しており、曲折した本体管部の中央部分の肉厚が、顔面に接触する側の面である顔面接触面部に対して、少なくとも前記上面部と対向する面である下面部が大であることにより、カニューラ本体の全体を顔面に馴染み易い柔らかな構成に形成しても、応力負担のかかり易い本体管部の中央部分での変形潰れを防ぐことができるので、通気経路の押し潰れを防ぐことができる。従って、装着時の不快感を著しく軽減した状態で、酸素等の気体の供給が遮断される虞のないカニューラとなる。
【００２０】
請求項４に示す考案によれば、カニューラ本体の本体管部の中央部分が顔面に沿う方向に曲折しており、曲折した本体管部の中央部分の肉厚が、顔面に接触する側の面である顔面接触面部に対して、少なくとも前記上面部が大であることにより、カニューラ本体の全体を顔面に馴染み易い柔らかな構成に形成しても、応力負担のかかり易い本体管部の中央部分での変形潰れを防ぐことができるので、通気経路の押し潰れを防ぐことができる。従って、装着時の不快感を著しく軽減した状態で、酸素等の気体の供給が遮断される虞のないカニューラとなる。
【００２１】
請求項５に示す考案によれば、本体管部の曲折した中央部分の外側面部、上面部、下面部のいずれかの部分の表面に、該表面から突起する角状部が形成されてこの部分の肉厚を大とした構成により、カニューラ本体の全体を顔面に馴染み易い柔らかな構成に形成しても、応力負担のかかり易い本体管部の中央部分での変形潰れを防ぐことができるので、通気経路の押し潰れを防ぐことができる。従って、装着時の不快感を著しく軽減した状態で、酸素等の気体の供給が遮断される虞のないカニューラとなる。
【００２２】
請求項６に示す考案によれば、本体管部の中央部分の管内径が他の部分の管内径より大であることにより、本体管部の中央部分の通気経路内に供給された酸素等の気体の溜り部（リザーバー）が生じるので、酸素等の気体の供給がより安定する。
【考案を実施するための最良の形態】
【００２３】
次に、添付の図面に従って本考案を詳細に説明する。
【００２４】
図１は本考案に係るカニューラの一実施例を示す平面図、図２は図１の正面図、図３は図２のＩＩＩ−ＩＩＩ線断面図、図４は図２のＩＶ−ＩＶ線拡大端面図、図５は図２のＩＶ−ＩＶ線端面部分の他の実施例を示す端面図、図６は図１のＶＩ−ＶＩ線断面部分の他の実施例を示す拡大断面図である。
【００２５】
図１及び図２において、本考案に係るカニューラは軟質合成樹脂材料により形成されてており、カニューラ本体１が、顔面鼻下に配設される本体管部２と、該本体管部２の上面部に立設されて鼻孔に挿入される左右一対の鼻孔管３・３と、酸素ボンベ等の気体供給手段と連絡されるチューブＴ（仮想線で示す）を接続する前記本体管部の左右両端部４・４と、を有して構成されている。
【００２６】
本体管部２は、中央部分２Ｘで顔面に沿う方向に曲折しており、曲折した本体管部２の中央部分２Ｘ（図２のＩＶ−ＩＶ線で示す部分）の肉厚が、図３及び図４に示すように、顔面に接触する側の面である顔面接触面部２Ａに対して、該顔面接触面部２Ａと対向する側の面である外側面部２Ｂが大となる構成を有している。
【００２７】
本体管部２の曲折した中央部分２Ｘの外側面部２Ｂの肉厚を大とするための構成の好ましい一例としては、本実施例の図１及び図３に示すように、該中央部分２Ｘの外側面部２Ｂの表面に、該表面から突起する角状部を形成することで、この部分の肉厚を大とすることである。
【００２８】
曲折した本体管部２の中央部分２Ｘの肉厚を、顔面接触面部２Ａに対して外側面部２Ｂを大とすることにより、カニューラ本体１の全体を軟質合成樹脂材料により顔面に馴染み易い柔らかな構成に形成しても、応力負担がかかり易い本体管部２の中央部分２Ｘでの変形潰れを防ぐことができる。応力がかかった際、中央部分２Ｘの外側面部２Ｂに最も応力が集中し易いため、この中央部分２Ｘの外側面部２Ｂの肉厚を大とすることにより、この部分での形状維持力が高められて変形潰れを防ぐことになる。この変形潰れの防止によって、通気経路Ｐの押し潰れによる遮断の虞がなくなるので、酸素等の気体の供給を確実に行うことができる。
【００２９】
図３に示すように、通気経路Ｐは、本体管部２の中央部分２Ｘでの管内径Ｐ１が、該中央部分２Ｘ以外の他の部分の管内径Ｐ２よりも大であること好ましい。中央部分２Ｘでの通気経路Ｐの管内径を大とすることにより、この部分、即ち、左右一対の鼻孔管３・３が立設される部分の間に、通気経路Ｐ内に供給された酸素等の気体の溜り部（リザーバー）が生じることになるので、酸素等の気体の供給がより安定することになる。
【００３０】
以上の構成を有するカニューラのカニューラ本体１は、この種のカニューラの材料として公知公用の材質によって特別の制限なく形成され、例えば、軟質塩化ビニル、軟質ポリエチレン、軟質ポリプロピレン等の軟質合成樹脂によって形成されることが好ましく、より好ましくは軟質塩化ビニルによって形成されることである。
【００３１】
また、形成方法としては、この種のカニューラの形成方法として公知公用の方法によって特別の制限なく形成することができる。好ましい形成方法としては、浸漬法（いわゆるドブ漬け）である。
【００３２】
以上、本考案に係るカニューラの一実施例について説明したが、本考案は上記に限定されず、例えば、下記するような種々の態様を採ることができる。
【００３３】
曲折した本体管部２の中央部分２Ｘ（図２のＩＶ−ＩＶ線で示す部分）の肉厚は、顔面接触面部２Ａに対して、上記実施例の外側面部２Ｂが大となる構成に限らず、図５（Ａ）に示すように下面部２Ｃが大となる構成でもよいし、図５（Ｂ）に示すように上面部２Ｄが大となる構成でもよいし、図５（Ｃ）に示すように外側面部２Ｂ及び下面部２Ｃが大となる構成でもよいし、図５（Ｄ）に示すように外側面部２Ｂ及び上面部２Ｄが大となる構成でもよいし、図５（Ｅ）に示すように下面部２Ｃ及び上面部２Ｄが大となる構成でもよいし、図５（Ｆ）に示すように外側面部２Ｂ、下面部２Ｃ及び上面部２Ｄの３面が大となる構成でもよい。
【００３４】
尚、本考案において、本体管部２は、顔面接触面部２Ａ、外側面部２Ｂ、下面部２Ｃ及び上面部２Ｄを有する断面形状が四角形で図示されているが、本考案は断面形状は４つの角部を有する四角形に限定されず、角丸の四角形でもよいし、やや角部を有する円形でもよいし、角丸の他の多角形や、円ないし楕円などでもよく、四角形以外の形状の場合、その任意の断面形状の外周を略４等分し、顔面に接触する側を顔面接触面部と云い、該顔面接触面部に対向する面側を外側面と云い、鼻孔管３・３が立設する面側を上面部と云い、該上面と対向する面側を下面部と云うものとする。
【００３５】
図５（Ａ）〜（Ｆ）に図示した各態様において、本体管部２の曲折した中央部分２Ｘの肉厚を大とするための構成の好ましい例としては、上記した実施例と同様に、該中央部分２Ｘの肉厚を大とする各部分の表面に、該表面から突起する角状部を形成することで、この部分の肉厚を大とすることである。例えば、図５（Ａ）に示した下面部２Ｃの肉厚を大とする態様の場合では、図６に示すように、該下面部２Ｃの表面に該表面から突起する角状部を形成することで、この部分の肉厚を大とすることができる。
【００３６】
尚、本考案で云う角状部とは、先鋭的な頂点を有する角状のみを指すものではなく、頂点部分が丸みを帯びた山状や略角状に見える膨らみ等も含む。
【図面の簡単な説明】
【００３７】
【図１】本考案に係るカニューラの一実施例を示す平面図
【図２】図１の正面図
【図３】図２のＩＩＩ−ＩＩＩ線断面図
【図４】図２のＩＶ−ＩＶ線拡大端面図
【図５】図２のＩＶ−ＩＶ線端面部分の他の実施例を示す拡大端面図
【図６】図１のＶＩ−ＶＩ線断面部分の他の実施例を示す断面図
【符号の説明】
【００３８】
１  カニューラ本体
２  本体管部
２Ａ  顔面接触面部
２Ｂ  外側面部
２Ｃ  下面部
２Ｄ  上面部
２Ｘ  中央部分
３  鼻孔管
４  左右両端部
Ｔ  チューブ
Ｐ  通気経路
【図１】
0003118848.tif 000003
【図２】
0003118848.tif 000004
【図３】
0003118848.tif 000005
【図４】
0003118848.tif 000006
【図５】
0003118848.tif 000007
【図６】
0003118848.tif 000008